(57)【特許請求の範囲】
【請求項１】
ソレノイドのプランジャーに一体連結された連結部材と、回転体とが特定方向にのみ遊動可能な状態で相互に係合連結され、前記連結部材は、前記回転体の回転軸に載置支持状態で直線移動して、前記プランジャーの直線運動を前記回転体の回転運動に変換する装置であって、
前記回転軸には、周方向に沿った溝部が設けられて、該溝部に前記連結部材の一部が嵌まり込んで、連結部材の横移動を防止する構造であることを特徴とする遊技装置の回転運動変換装置。
【請求項２】
ソレノイドのプランジャーに一体連結された連結部材と、回転体とが特定方向にのみ遊動可能な状態で相互に係合連結され、前記連結部材は、前記回転体の回転軸に載置支持状態で直線移動して、前記プランジャーの直線運動を前記回転体の回転運動に変換する装置であって、
前記回転軸には、軸方向に沿って所定間隔をおいて一対の鍔部が設けられて、該一対の鍔部の間に、前記連結部材の一部が嵌まり込んで、連結部材の横移動を防止する構造であることを特徴とする遊技装置の回転運動変換装置。
【請求項３】
前記遊技装置は、回動するキャラクタ体を備えた装置であると共に、前記回転体は、部分歯車であり、
前記回転体を構成する第１部分歯車と、別の第２部分歯車とが、その各回転軸を平行に配置した状態で互いに噛合されて、前記第２部分歯車に前記キャラクタ体が一体に取付けられていることを特徴とする請求項１又は２に記載の遊技装置の回転運動変換装置。
【発明の詳細な説明】
【０００１】
【発明の属する技術分野】
本発明は、遊技装置を作動するソレノイドのプランジャーの直線運動を回転運動に変換する装置に関するものである。
【０００２】
【従来の技術】
パチンコ機盤面の例えば中央に設けられたセンター役物装置内にキャラクタ体を配置し、これを遊技状態に合わせて回動動作させる遊技装置がある。この回動動作をさせるのに、駆動手段にソレノイドを用い、歯車を介してソレノイドのプランジャーの直線運動をキャラクタ体の回動動作に変換する回転運動変換装置が用いられる場合が多い。その一例を図１０及び図１１に示す。
【０００３】
ソレノイドＳのプランジャーＰには、連結体４１が一体に取付けられていて、第１部分歯車Ｇ1 の歯車部４２と略反対の部分には、アーム部４３が一体に設けられており、前記連結体４１の先端の断面Ｕ字状の係合部４４と、前記アーム部４３の自由端部に取付けられた被係合ピン４５とが互いに係合して、前記プランジャーＰの直線運動は、前記連結体４１を介して前記第１部分歯車Ｇ1 の回動運動に変換される。また、ハンマー体１０は、前記第２部分歯車Ｇ2 の歯車部４６にアーム部４７を介して一体に取付けられているため、ソレノイドＳの作動によって、ハンマー体１０は、第１部分歯車Ｇ1 の回動方向と反対方向に回動する構成になっている。
【０００４】
そして、ソレノイドＳを駆動源とした従来の回転運動変換装置においては、上記のようにして、ソレノイドＳのプランジャーＰが直線運動を行う際に、該プランジャーＰを支持し、しかもその横振れを防止して、作動を安定させる必要がある。この構造の一つとして、図１０及び図１１に示されるように、前記連結体４１の基端部のブロック部４１ａの下端部に突起部４１ｂが突設されて、前記プランジャーＰの直下に配置された案内体４８の案内溝部４８ａに前記突起部４１ｂを嵌合させて、前記連結体４１の支持と、その横振れ防止とを同時に行っていた。
【０００５】
このように、ソレノイドＳを駆動源とした従来の回転運動変換装置においては、そのプランジャーＰの支持と、その横振れを防止するための専用部材が必要であって、遊技装置の構成部品が増えると共に、パチンコ機等の限られたスペースに遊技装置の駆動部全体を収納配置する関係上、前記案内体４８の配置のために、スペースの増大を招くという問題もあった。
【０００６】
【発明が解決しようとする課題】
本発明は、ソレノイドを駆動源とした回転運動変換装置において、そのプランジャーと回転体とを係合連結する連結部材の支持を既存部品の利用により達成して、部品点数の削減を図ることを主たる課題としている。
【０００７】
【課題を解決するための手段】
上記課題を解決するための請求項１の発明は、ソレノイドのプランジャーに一体連結された連結部材と、回転体とが特定方向にのみ遊動可能な状態で相互に係合連結され、前記連結部材は、前記回転体の回転軸に載置支持状態で直線移動して、前記プランジャーの直線運動を前記回転体の回転運動に変換する装置であって、前記回転軸には、周方向に沿った溝部が設けられて、該溝部に前記連結部材の一部が嵌まり込んで、連結部材の横移動を防止する構造であることを特徴としている。
【０００８】
請求項１の発明によれば、ソレノイドのプランジャーの先端に一体に取付けられていて、回転体に係合連結されている連結部材は、該回転体の回転軸に載置支持された構造であって、該回転軸は、回転体の軸支と前記連結部材の載置支持とを兼用しているので、前記プランジャーを支持する専用部材が不要となって、回転運動変換装置の構成部品を削減できる。また、前記回転軸の周方向に設けられた溝部に、前記連結部材の一部が嵌め込まれて、連結部材の横移動を防止する構造であるので、回転体の回転軸によって、前記プランジャーの支持と、その横移動の防止との双方を行える。
【０００９】
請求項２の発明は、ソレノイドのプランジャーに一体連結された連結部材と、回転体とが特定方向にのみ遊動可能な状態で相互に係合連結され、前記連結部材は、前記回転体の回転軸に載置支持状態で直線移動して、前記プランジャーの直線運動を前記回転体の回転運動に変換する装置であって、前記回転軸には、軸方向に沿って所定間隔をおいて一対の鍔部が設けられて、該一対の鍔部の間に、前記連結部材の一部が嵌まり込んで、連結部材の横移動を防止する構造であることを特徴としている。
【０００９】
また、請求項２の発明は、前記回転軸の軸方向に沿って所定間隔をおいて設けられた一対の鍔部の間に、前記連結部材の一部が嵌め込まれている構成が、請求項１の発明と異なるのみであって、その作用効果は、請求項１の発明の作用効果と同一である。
【００１０】
また、請求項３の発明は、請求項１又は２の発明を前提として、前記遊技装置は、回動するキャラクタ体を備えた装置であると共に、前記回転体は、部分歯車であり、前記回転体を構成する第１部分歯車と、別の第２部分歯車とが、その各回転軸を平行に配置した状態で互いに噛合されて、前記第２部分歯車に前記キャラクタ体が一体に取付けられていることを、その特徴としている。このように、請求項４の発明によれば、配置スペースに制限がある狭隘な部分に配置される回転運動変換装置において、その構成部品を削減できるために、装置の配置が容易となる（スペース上の配置制限が少なくなる）。
【００１１】
【発明の実施の形態】
以下、実施例を挙げて、本発明を更に詳細に説明する。図１は、本発明に係る回転運動変換装置を備えたハンマー式遊技装置Ｈが設置されたＣＲパチンコ機の全体正面図であり、図２は、同じくハンマー式遊技装置Ｈの斜視図であり、図３は、同じく分解斜視図であり、図４は、ハンマー式遊技装置Ｈの非作用時の縦断面図であり、図５は、同じく作用時の縦断面図であり、図６（イ），（ロ）は、それぞれハンマー式遊技装置Ｈの作用時及び非作用時におけるプランジャーＰの支持状態を主体に示す縦断面図であり、図７は、ハンマー式遊技装置Ｈの概略正面断面図である。
【００１２】
図１に示されるＣＲパチンコ機は、その左端部に上下方向に沿ってカードユニット３１が設けられ、その遊技盤の中央部に略円形の遊技領域３２が形成され、該遊技領域３２の中央部に特別図柄表示装置３３が配置され、その直下に、始動入賞装置３４及びアタッカー装置３５が、この順序で配置された一般的な構成のものである。そして、前記特別図柄表示装置３３の表示部の直上に、本発明に係る回転運動変換装置を備えたハンマー式遊技装置Ｈが設置されている。
【００１３】
上記したハンマー式遊技装置Ｈは、図２ないし図５、及び図７に示されるように、パチンコ機が特定の遊技状態（例えば、「大当り」、「リーチ」等）に達すると、ソレノイドＳを構成するプランジャーＰの往復直線運動が、ハンマー形状を模して形成されたハンマー体（キャラクタ体）１０の往復回動運動に変換されて、該ハンマー体１０が１ないし複数回だけ往復回動して、遊技盤における前記特別図柄表示装置３３の直上の部分を叩いて、遊技を盛り上げる構成である。
【００１４】
即ち、ソレノイドＳを構成するプランジャーＰの先端部には、連結体Ｃが一体に取付けられて、該連結体Ｃと、第１部分歯車Ｇ1 における歯車部１と反対側に一体に設けられたアーム部２とが特定方向にのみ遊動可能なように連結され、該第１部分歯車Ｇ1 と第２部分歯車Ｇ2 とが噛合され、該第２部分歯車Ｇ2 に一体に設けられた円筒部３にアーム部４を介してハンマー体１０が一体に取付けられている。また、ハンマー体１０を除く前記各部材（Ｓ，Ｐ，Ｃ，Ｇ1 ，Ｇ2 ）は、いずれもケース体５内に収納され、該ケース体５の前面に設けられた開口６から前記アーム部４が前面側に突出していて、前記第１及び第２の各部分歯車Ｇ1,Ｇ2 は、前記ケース体５の両側板部５ａ（図７参照）に、第１及び第２の各回転軸７，８を介してそれぞれ支持されている。
【００１５】
また、図２及び図３に示されるように、連結体Ｃは、縦配置される基板部１１の幅方向の一端部に被支持板部１２が、該基板部１１の板面に対して垂直となって前方に突設されて、該被支持板部１２の内側に断面逆Ｕ字状をした係合部１３が一体成形され、前記基板部１１に、前記プランジャーＰの先端に設けられた被嵌合円板１４を挿入嵌合させる嵌合孔１５が上面に開口して設けられた構成である。また、第１部分歯車Ｇ1 のアーム部２の一端部の一方の側面には、前記歯車部１が設けられていて、その他端部の他方の側面には、連結体Ｃの係合部１３に対して係合可能な被係合ピン１６が板面に対して垂直に一体に設けられている。
【００１６】
そして、図２ないし図７に示されるように、ソレノイドＳのプランジャーＰの先端に設けられた被嵌合円板１４が連結体Ｃの嵌合孔１５に嵌合され、しかも該連結体Ｃは、その全体が被支持板部１２の部分で第１回転軸７に載置支持された状態で、該連結体Ｃは、プランジャーＰと一体となって直線運動を行う。また、第１部分歯車Ｇ1 に設けられた被係合ピン１６は、前記プランジャーＰの直線移動方向、及び前記第１部分歯車Ｇ1 を支持する第１回転軸７の軸方向の双方に直交する方向（配置状態で、上下方向）に沿ってのみ遊動可能な状態となって、連結体Ｃに設けられた横断面Ｕ字状の係合部１３に挿入係合されている。また、プランジャーＰにおけるソレノイド本体Ｂの前端と前記被係合円板１４との間には、圧縮スプリング１７が弾装され、該圧縮スプリング１７は、ハンマー体１０が下降端から上昇端に向けて回動し易いように付勢している。
【００１７】
また、前記ハンマー式遊技装置Ｈは、遊技盤２０における特別図柄表示装置３３の直上の部分に、そのプランジャーＰの軸心が遊技盤面に対して垂直となるように配置され、第１及び第２の各部分歯車Ｇ1,Ｇ2 を軸支する各回転軸７，８は、遊技盤面に対して平行に配置される。
【００１８】
これにより、図４及び図６（イ）に示される状態において、ソレノイドＳのプランジャーＰが直線運動して後退すると、その連結体Ｃは、第１部分歯車Ｇ1 を軸支している第１回転軸７に載置支持されたままで、プランジャーＰと一体となって後退して、第１部分歯車Ｇ1 が時計方向に回動することにより、第２部分歯車Ｇ2 の円筒部３にアーム部４を介して取付けられたハンマー体１０は、反時計方向に回動して、遊技盤における特別図柄表示装置３３の直上の部分を叩く（図５参照）。これにより、ソレノイドＳのプランジャーＰは、後退端（引込み端）に達し、この状態においても、図５及び図６（ロ）に示されるように、連結体Ｃは、第１部分歯車Ｇ1 を軸支している第１回転軸７に載置支持されている。
【００１９】
また、ソレノイドＳのプランジャーＰが後退端に達している状態において、該プランジャーＰが直線運動して前進すると、遊技盤における特別図柄表示装置３３の直上の部分に当接しているハンマー体１０は、時計方向に回動して、上昇端に達して停止する。ハンマー体１０が上昇端に戻る際には、その自重が回動抵抗となるために、前記圧縮スプリング１７の復元力によって、前記回動抵抗を小さくして、ハンマー体１０が上昇端に復帰し易くしてある。
【００２０】
このように、ソレノイドＳのプランジャーＰが直線運動により前進及び後退する際には、該プランジャーＰと第１部分歯車Ｇ1 とを係合連結している連結体Ｃは、常に第１部分歯車Ｇ1 を軸支している第１回転軸７に載置支持されている。即ち、第１回転軸７は、第１部分歯車Ｇ1 の軸支と、プランジャーＰの支持との双方を兼用しているために、従来装置のように、ソレノイドＳのプランジャーＰを支持するための専用の部材が不要となる。
【００２１】
更に、図８に示されるように、第１部分歯車Ｇ1 を軸支している第１回転軸７に溝部２１を設けて、連結体Ｃの被支持板部１２を前記溝部２１に嵌め込んだり、或いは図９に示されるように、前記第１回転軸７に所定間隔をおいて一対の鍔部２２を設けて、該一対の鍔部２２の間に、連結体Ｃの被支持板部１２を嵌め込むと、前記第１回転軸７によって、プランジャーＰの支持と、その横振れ防止との双方を実現できて、プランジャーＰは、一層安定した状態で直線運動を行える利点がある。
【００２２】
なお、上記実施例は、ハンマー式遊技装置におけるソレノイドのプランジャーの直線運動を回転運動に変換する部分に、本発明を実施した例であるが、ソレノイドのプランジャーの直線運動を回転運動に変換する部分を有するならば、本発明は、如何なる遊技装置に対しても実施可能であり、更に、遊技装置を備えた遊技機に関しても、上記実施例のパチンコ機に限定されず、スロットマシン等の他の遊技機も実施の対象となる。
【００２３】
【発明の効果】
本発明は、ソレノイドのプランジャーに一体連結された連結部材と、回転体とが特定方向にのみ遊動可能な状態で相互に係合連結され、前記連結部材は、前記回転体の回転軸に載置支持状態で直線移動して、前記プランジャーの直線運動を前記回転体の回転運動に変換する構成の遊技装置の回転運動変換装置であって、前記回転軸には、周方向に沿った溝部が設けられるか、或いは軸方向に沿って所定間隔をおいて一対の鍔部が設けられて、該溝部又は一対の鍔部に前記連結部材の一部が嵌まり込んで、連結部材の横移動を防止する構造であるので、前記回転体の回転軸に前記連結部材が載置支持されていて、該回転軸は、前記回転体の軸支と、前記連結部材の載置支持との双方を兼用しているために、前記プランジャーを支持する専用部材が不要となって、回転運動変換装置の構成部品を削減できると共に、回転体の回転軸によって、前記プランジャーの支持と、その横移動の防止との双方を行える。
【図面の簡単な説明】
【図１】  本発明に係る回転運動変換装置を備えたハンマー式遊技装置Ｈが設置されたＣＲパチンコ機の全体正面図である。
【図２】  同じくハンマー式遊技装置Ｈの斜視図である。
【図３】  同じく分解斜視図である。
【図４】  ハンマー式遊技装置Ｈの非作用時の縦断面図である。
【図５】  同じく作用時の縦断面図である。
【図６】  （イ），（ロ）は、それぞれハンマー式遊技装置Ｈの作用時及び非作用時におけるプランジャーＰの支持状態を主体に示す縦断面図である。
【図７】  ハンマー式遊技装置Ｈの概略正面断面図である。
【図８】  第１部分歯車Ｇ1 を軸支している第１回転軸７に設けられた溝部２１に連結体Ｃの被支持板部１２を嵌め込んだ状態を示す図である。
【図９】  第１部分歯車Ｇ1 を軸支している第１回転軸７に設けられた一対の鍔部２２の間に連結体Ｃの被支持板部１２を嵌め込んだ状態を示す図である。
【図１０】  直線運動を回転運動に変換する従来装置の側面図である。
【図１１】  図１０のＸ−Ｘ線概略断面図である。
【符号の説明】
Ｃ：連結体（連結部材）
Ｇ1 ：第１部分歯車（回転体）
Ｇ2 ：第２部分歯車
Ｈ：ハンマー式遊技装置（遊技装置）
Ｐ：プランジャー
Ｓ：ソレノイド
７：第１回転軸（回転軸）
１０：ハンマー体（キャラクタ体）
１２：連結体の被支持板部
２０：遊技盤
２１：溝部
２２：鍔部
３３：特別図柄表示装置
【図１】
0004304685.tif 000002
【図２】
0004304685.tif 000003
【図３】
0004304685.tif 000004
【図４】
0004304685.tif 000005
【図５】
0004304685.tif 000006
【図６】
0004304685.tif 000007
【図７】
0004304685.tif 000008
【図８】
0004304685.tif 000009
【図９】
0004304685.tif 000010
【図１０】
0004304685.tif 000011
【図１１】
0004304685.tif 000012